(57)【要約】【課題】  他人にメッセージを伝えることが出来るメガネの提供。【解決手段】  フロント部１にはリム４，４から上方へ延びる止着片７，７にボード２をネジ止めしている。ボード２は上方へ起立し、その表面８には文字、図形、模様、数字、又は写真などを表示することが出来る。【選択図】    図１
0003220784.tif 000002
【実用新案登録請求の範囲】
【請求項１】
他人にメッセージを伝えることが出来るメガネであって、フロント部には上方へ起立するボードを備え、該ボード表面には文字、数字、図形、又は写真などを表示することが出来る表示部を設けたことを特徴とするフロント部にボードを備えたメガネ。
【請求項２】
上記ボードをフロント部にネジ止めした請求項１記載のフロント部にボードを備えたメガネ。
【請求項３】
上記ボードをフロント部と共に一体成形した請求項１記載のフロント部にボードを備えたメガネ。
【請求項４】
上記ボードをホワイトボードとした請求項１、請求項２、又は請求項３記載のフロント部にボードを備えたメガネ。
【考案の詳細な説明】
【技術分野】
【０００１】
本考案は、主として他人にメッセージを伝えることが出来るように、フロント部にボードを備えたメガネに関するものである。
【背景技術】
【０００２】
一口にメガネ（眼鏡）といっても、その形態は色々存在している。例えば、メガネは顔に掛ける器具であり、その為に各種装飾が施されている。また、メガネは視力を矯正することが第１の目的であるが、一部には遊びの要素もあり、クリスマスパーティー、誕生パーティーなどのイベントの場において、人目を惹き付けるように構成したメガネを用いることで、より一層、その場を盛り上げることが出来る。
【０００３】
メガネに設ける装飾としては、一般的にはメッキ、印刷、他に宝石を取付けるなど色々知られている。しかし、従来の装飾は普通に掛けるメガネの装飾に過ぎず、特別に企画したイベントの場において着用するメガネの装飾に対して、その効果は乏しくて役に立たない場合が多い。
すなわち、一般的なメガネに設けられる装飾は、あくまでも装飾の対象がメガネであり、イベントなどを対象としたものではない。
【０００４】
勿論、今日、色々なイベントが行われており、これらイベントの場を盛り上げる為の手段としては、人目を惹くように派手に装飾したメガネに限らず、特別に飾り付けた服装を着用することも多い。また、顔にこっけいな化粧をして、イベントの場を盛り上げることも可能である。
本考案は、顔に掛けるメガネに着目し、メガネに一種の装飾体となる（ボード）を取付けることで、イベントの場を盛り上げるようにしている。
【０００５】
従来において、派手な装飾を施したメガネに関する技術も幾つか知られている。
例えば、特開２００９−２７６６９６号に係る「メガネフレーム及び眼鏡並びにアクセサリー」は、鼈甲等の素材をフレーム素材として用いた場合であっても、その加工性及び交換性を向上することができ、しかも磨耗を抑制することができるメガネフレーム及び眼鏡である。
【０００６】
実用新案登録第３１６８５２６号に係る「装飾品装着具」は、貴金属、宝石類を装着した場合に、外れ難く、且つ外観品質が高い装飾品装着具である。すなわち、眼鏡フレームのテンプル部に貴金属、宝石類の装飾品を装着しうる装飾品装着具であって、装飾品を取り付け可能な装飾品取り付け部と、該装飾品取り付け部をテンプル部に固定しうる固定部と、上記装飾品取り付け部と上記固定部とを接続する接続部とからなり、上記接続部は筒状に形成され、上記固定部は、ゴム材からなるリング部材を上記接続部に貫装し、上記リング部材の径方向両端部を上記接続部の両端部から夫々所定寸法引き出すことより、上記接続部の両端に配置され、上記テンプル部に挿通固定しうる環状部により形成している。
【０００７】
このように装飾されたメガネは色々知られている。しかし上記文献に記載されているメガネは、装飾されてはいるが、イベントの場にふさわしい装飾としては適していない。特に、本考案の第１の目的であるメッセージを他人に伝えることは出来ない。
【特許文献１】特開２００９−２７６６９６号に係る「メガネフレーム及び眼鏡並びにアクセサリー」
【特許文献２】実用新案登録第３１６８５２６号に係る「装飾品装着具」
【考案の開示】
【考案が解決しようとする課題】
【０００８】
イベントの場を盛り上げる為の手段は色々知られていて、その手段の１つとして派手に装飾したメガネを掛けることも可能である。
本考案はその手段としてのメガネを対象としたもので、特に他人にメッセージを伝えることが出来るように構成したメガネを提供する。
【課題を解決するための手段】
【０００９】
本考案に係るメガネはフロント部とテンプルで構成され、フロント部のリムにはレンズ又はガラスが嵌っている。時にはリムにレンズやガラスを嵌めないで構成する場合もある。テンプルはフロント部の両側に蝶番などの継手を介して折畳み出来るように取付けられている。
そして、上記フロント部には文字や数字を表示することが出来るボードを備えて構成され、該ボードはフロント部に備わっているが、フロント部にネジ止めなどで固定したり、又はフロント部と共に一体成形される。
【００１０】
ここで、上記ボードは板状態とし、その形状が限定されることはなく、イベントの場に適した形態としている。ボードの表面には、外形に合わせた色彩、図形が形成され、メガネを顔に掛けることで、該ボードは顔の一部を覆うように配置され、ボードに表示した文字や数字が他人にメッセージとして伝えることが出来るように成っている。
そして、上記フロント部、テンプル、及びボードの材質は一般に樹脂が用いられる。
【考案の効果】
【００１１】
本考案に係るメガネは、フロント部に顔の一部を覆うようにボードが取付けられ、その為に、メガネを掛けるならば、該ボードは目立つようになる。したがって、このメガネを掛けることで、イベントの場を盛り上げることが出来る。しかも、ボードには文字又は数字、さらには写真などを表示して他人にメッセージとして伝えることが出来る。また、ＳＮＳに投稿してメッセージの内容を共有することも可能である。
本考案のメガネはイベント盛り上げ効果が手軽に発揮され、便利である。すなわち、メガネはバックに入れて携帯し、必要とする場で掛けることが可能であり、特別な服装をしたり、派手な化粧をする場合に比較して、手軽である。
【図面の簡単な説明】
【００１２】
【図１】本考案に係るアタッチメントを備えたメガネの正面図。
【図２】本考案に係るアタッチメントを備えたメガネの側面図。
【図３】アタッチメントに形成されて適当な数字を作ることが出来る数字配列。
【図４】図３の数字配列を用いてマラソンの記録時間（３時間２５分８秒）を表示した具体例。
【図５】誕生パーティーに参加する為に、アタッチメントとしてケーキを形成し、その上端に４本のロウソクを起立した形態とした場合。
【考案を実施するための形態】
【００１３】
図１、図２は本考案に係るメガネを示す具体例であり、図１は正面図を、図２は側面図をそれぞれ表している。ここで、同図の１はフロント部、２はボード、３はテンプルであり、上記フロント部１にはボード２が取付けられている。フロント部１は樹脂を射出成形した一体成形品であり、両リム４，４が連結部５を介して左右対称に繋がれ、フロント部１の両側にはヨロイ部６，６を有している。
【００１４】
そして、上記ボード２も樹脂製で横長の長方形をした板状態であり、該ボード２はリム４，４から上方へ突出している止着片７，７にネジ止めされている。該止着片７，７にネジ止めされたボード２はフロント部１と同じようにほぼ垂直に起立し、その横幅寸法はフロント部１より大きく、メガネを顔に掛けるならば、額をほぼ覆うことが出来るサイズとなっている。
すなわち、メガネのフロント部１はボード２が額を覆うように配置する為の手段に他ならない。
【００１５】
ところで、上記ボード２の具体的な使用方法に関しては限定しないが、例えば、イベントを盛り上げる為に必要とする図形、模様などが形成される。また、該ボード２の表面８に文字や数字、又は写真を表示してメッセージとして他人に伝える機能を果たすことが出来る。
ボード２の形状は同図に示す長方形に限るものではないが、小型のホワイトボードとして構成して、表面８に各自が好む文字や図形を描いたり、写真を表示したりする。
【００１６】
図３は上記ボード２に数字８，８・・・を配列した場合を表している。例えば、市民マラソンに参加した場合、自分の記録をこの数字で表すことが出来る。近年、市民マラソンは色々な地域で行われており、試合が終わった後のイベントの場に本考案のメガネを掛けることが出来る。
同図に示す数字「８」は適当な部位を削り取ることで、１，２，３，４，５，６，７，８，９，０を表示することが可能である。逆に、削り取るのではなく、必要な部位をマジックで塗り潰すことも出来る。
【００１７】
例えば、自己のゴール時間が３時間２５分０８秒であれば、図４に示すように塗り潰すならば上記記録時間がボード２に表示される。このように、マラソンを終えた後でのイベントに、自分の出した記録を表示してイベントに参加する場合、記録を仲間同士で見せ合って、イベントの場を盛り上げる効果がある。また、このメガネを掛けて写真を撮り、ＳＮＳに投稿することもあり得る。
勿論、フルマラソンでなくハーフマラソンの場合もあり、さらには各種競技の記録を手書きすることも可能である。
【００１８】
図５は本考案の他の実施例であり、フロント部１には同じくボード９が取付けられている。該ボード９はケーキ１０の上端に４本のロウソク１１，１１・・・が起立した形態としている。
そこで、このボード９を取付けたメガネを掛けて誕生パーティーに出席することが出来、その場合、該イベントの場を盛り上げる効果が得られる。
【００１９】
このボード９も樹脂製の板状態として構成され、その表面にはケーキ１０とロウソク１１，１１・・・を表すに適した色彩としている。そして、該ボード９の一部には表示部１２が設けられ、該表示部１２にメッセージ（例えば、誕生日おめでとう）を表記することが出来る。そして、該ボード２，９はメガネのフロント部１に備わっているが、ネジ止めなどで固定する場合、又はフロント部１と一体成形することも出来る。
【００２０】
上記実施例では、図１、図２に示すような長方形のボード２、図５に示すケーキを形作ったボード９を示しているが、イベントに応じて他の形態とすることが出来る。例えば、各種動物を形作ったボードとすることもあり、該ボードにはメッセージを伝える為に、文字、数字、図形、写真などを表示することが出来る表示部が形成されている。
【符号の説明】
【００２１】
１   フロント部
２   アタッチメント
３   テンプル
４   リム
５   連結部
６   ヨロイ
７   止着片
８   表面
９   アタッチメント
10   ケーキ
11   ロウソク
12   表示部
【図１】
0003220784.tif 000003
【図２】
0003220784.tif 000004
【図３】
0003220784.tif 000005
【図４】
0003220784.tif 000006
【図５】
0003220784.tif 000007